(57)【要約】      （修正有）【課題】窓洗浄職人を宙空に吊り下げる必要がないため、窓洗浄の危険性を低下させられる多機能窓洗浄ワイプ装置を提供する。【解決手段】多機能窓洗浄ワイプ装置は、機体１、機体に連結する伸縮棒２を備え、機体には複数のギアにより組成されるギアセット、ギアセットを駆動するワームを設置し、ワーム両端は機体両側のキャスター３７にそれぞれ枢接され、機体上方には少なくとも２個の管体３４、３５を設置し、使用時にはギアセットにブラシ、スポンジ、布料等の清掃ツール４を取り付け、管体により洗浄剤及び真水を注入し、手で伸縮棒を持ち機体をガラス窓に密着させることで機体を押し、キャスター３７或いはモーター３８によりギアセットを連動することで清掃ツールの回転を連動し、建築物ガラス窓洗浄の目的を達成する。【選択図】図１
0003206573.tif 000002
【実用新案登録請求の範囲】
【請求項１】
多機能窓洗浄ワイプ装置は、機体、伸縮棒を備え、
該機体内部には、複数のギアにより組成されるギアセットを設置し、ブラシ、スポンジ、布等清掃ツールは、該ギアセットに取り付けられ、該ギアセットは、ワームに噛み合い、該ワームの両端には、それぞれキャスターを枢接し、これにより該キャスターは該機体の両側に突出し、該機体上方には管体をそれぞれ連接し、該機体を押すことで、該キャスターを回転させると、該ワームを連動し、相対して該ギアセット全体を連動し、該ギアセットに取り付けられる清掃ツールを回転させ、
該伸縮棒の底端は、該機体に枢接され、頂端には、ハンドルを設置し、これにより該機体上方に設置される管体は、該伸縮棒に適当に固定され、該伸縮棒に沿って引き出され、洗浄剤及び真水に連接され、
使用時には、該管体により洗浄剤及び真水を注入し、洗浄剤及び真水は、該機体下方の清掃ツールにより放出され、手で該伸縮棒を持ち、及び該機体をガラス窓に密着させることで機体を押し、該キャスターによりギアセットを連動することで清掃ツールの回転を連動し、建築物ガラス窓或いは床板洗浄の目的を達成することを特徴とする多機能窓洗浄ワイプ装置。
【請求項２】
前記ギアセットは少なくとも、該ワームに噛み合う伝動ギア、該伝動ギアに噛み合う２個の受動ギア、該２個の受動ギアに固定して設置される２個のターンテーブルを備え、
これにより、ブラシ、スポンジ等清掃ツールは、該２個のターンテーブルに取り付けられることを特徴とする請求項１に記載の多機能窓洗浄ワイプ装置。
【請求項３】
前記２個の伝動ギア及び２個のターンテーブルの中心には、該機体上方を貫通する通孔をそれぞれ設置し、これに管体をそれぞれ連接し、洗浄剤及び真水を注入することを特徴とする請求項２に記載の多機能窓洗浄ワイプ装置。
【請求項４】
前記機体は後縁に突起を設置し、これにより該伸縮棒に枢接し、こうして仰向け角度のスイング動を行うことを特徴とする請求項１に記載の多機能窓洗浄ワイプ装置。
【請求項５】
前記多機能窓洗浄ワイプ装置は、該機体の上方にさらにモーター、及び転換部材を設置し、
該転換部材の回転切り替えにより、該モーター伝動軸は、該伝動ギアに枢接され、
しかも、該伝動ギアはワームより離脱し、こうして該伝動ギアはモーターにより伝動されることを特徴とする請求項２に記載の多機能窓洗浄ワイプ装置。
【考案の詳細な説明】
【技術分野】
【０００１】
本考案は多機能窓洗浄ワイプ装置に関し、特に建築物のガラス窓を洗浄する目的を達成でき、窓洗浄職人を宙空に吊り下げる必要がないため、窓洗浄の危険性を低下させられる多機能窓洗浄ワイプ装置に関する。
【背景技術】
【０００２】
透過性に優れ、なめらかで清潔感があり、明るく、しかも現代的な感覚を表現できるという特性を備えるガラスは、その技術の向上も相まって、建築物の外壁やガラスカーテンに用いられている。
しかし、長時間風雨にさらされれば、ガラス窓は汚れ、水垢がつき汚くなってしまい、建築物の外観ばかりか街並みにも悪影響を及ぼす。
そのため、窓は恒常的に洗浄される必要がある。
【０００３】
現階段でのガラス外壁或いはガラス窓の清掃方式は、多くは人手による作業で、主に吊り下げ方式でゴンドラ及び人員をビルの外壁に吊り下げ、ゴンドラを操作することで移動し壁面を洗浄する。
上記した従来の洗浄方式では、高層の空中における操作が必要であるため、ゴンドラは揺れ動き危険性も非常に高い。
そのため、誰もが簡単に従事できる作業ではなく、しばしば人手不足が問題となり、しかも一般の住?が自ら洗浄することは不可能である。
本考案は、従来の窓洗浄における上記した欠点に鑑みてなされたものである。
【先行技術文献】
【特許文献】
【０００４】
【特許文献１】実用新案登録第３１０１７０２号公報
【考案の概要】
【考案が解決しようとする課題】
【０００５】
本考案が解決しようとする課題は、簡単な操作により建築物のガラス窓を洗浄する目的を達成でき、窓洗浄職人を宙空に吊り下げる必要がないため、窓洗浄の危険性を低下させられる多機能窓洗浄ワイプ装置を提供することである。
【課題を解決するための手段】
【０００６】
上記課題を解決するため、本考案は下記の多機能窓洗浄ワイプ装置を提供する。
多機能窓洗浄ワイプ装置は、機体、及び該機体に連結する伸縮棒を備え、
該機体には、複数のギアにより組成されるギアセット、該ギアセットを駆動するワームを設置し、該ワーム両端は該機体両側のキャスターに枢接され、該機体上方には、少なくとも２個の管体を設置し、
使用時には、該ギアセットにブラシ、スポンジ、布料等清掃ツールを取り付け、該管体により洗浄剤及び真水を注入し、手で伸縮棒を持つことで機体をガラス窓に密着させ機体を押し、キャスター或いはモーターによりギアセットを連動することで、清掃ツールの回転を連動し、
建築物ガラス窓洗浄の目的を達成し、窓洗浄職人を宙空に吊り下げる必要がないため、窓洗浄の危険性を低下させられ、
多機能窓洗浄ワイプ装置のギアセットは、少なくとも該ワームに噛み合う伝動ギア、及び該伝動ギアに噛み合う受動ギア、該受動ギアに噛み合う駆動ギアを備え、ブラシ、スポンジ等清掃ツールは該駆動ギアに取り付けられる。
【考案の効果】
【０００７】
本考案の多機能窓洗浄ワイプ装置は、窓洗浄職人を宙空に吊り下げる必要がないため、窓洗浄の危険性を低下させられる。
【図面の簡単な説明】
【０００８】
【図１】本考案の実施例の立体図である。
【図２】本考案の立体分解図である。
【図３】本考案の伝動構造図である。
【図４】本考案の動作状態図である。
【図５】本考案の別種の実施形態の使用状態図である。
【考案を実施するための形態】
【０００９】
以下に図面を参照しながら本考案を実施するための最良の形態について詳細に説明する。
【実施例】
【００１０】
図１、図２、図３は、本考案の立体図、立体分解図、及び伝動構造図である。図に示すように、本考案は、機体１、及び該機体１に連結する伸縮棒２を備える。
該機体１の後縁には、突起１１を設置し、これにより該伸縮棒２に枢接し、該機体１内には、複数のギアにより組成されるギアセット３を設置する。
【００１１】
本実施例では、該ギアセット３は、少なくとも伝動ギア３１、該伝動ギア３１に噛み合う２個の受動ギア３２、該２個の受動ギア３２に固定して設置される２個のターンテーブル３３を備える。
【００１２】
該２個の受動ギア３２及び該２個のターンテーブル３３の中心には、機体１上方を貫通する通孔をそれぞれ設置し、これに管体３４、３５をそれぞれ連接する。
しかも、これによりブラシ、スポンジ、布等清掃ツール４は、該２個のターンテーブル３３に取り付けられる（面ファスナーにより相互に接着する方式で固定される）。
【００１３】
該ギアセット３の伝動ギア３１は、ワーム３６に噛み合い、該ワーム３６の両端には、それぞれキャスター３７を枢接し、これにより該キャスター３４は該機体１の両側に突出する。
【００１４】
該機体１を押すことで、該キャスター３７を回転させると、ワーム３６を連動し、相対して該ギアセット３全体を連動し、これにより該２個のターンテーブル３３に取り付けられる清掃ツール４を回転させる。
該機体１の上方には、モーター３８、及び転換部材３８１を設置し、該転換部材３８１の回転切り替えにより、該モーター３８伝動軸は、該伝動ギア３１に枢接される。
しかも、該伝動ギア３１は、ワーム３６より離脱し、或いは該伝動ギア３１はワーム３６に噛み合い、しかも該モーター３８伝動軸は、該伝動ギア３１から離脱する。
【００１５】
該伸縮棒２底端は、該機体１に設置される突起１１に枢接し、これにより仰向け角度のスイング動を行い、その頂端には、ハンドル２１を設置し、しかも該機体１上方に設置される管体３４、３５は、該伸縮棒２に適当に固定され、該伸縮棒２に沿って引き出され、洗浄剤及び真水に連接される。
上記構成部材の組合せにより、多機能窓洗浄ワイプ装置を構成する。
【００１６】
使用時には、該ギアセット３に、ブラシ、スポンジ、布等清掃ツール４を取り付け、該管体３４、３５により洗浄剤及び真水を注入し、洗浄剤及び真水は、該機体１下方の清掃ツール４より放出される。
手で伸縮棒２を持ち、機体１をガラス窓に密着させ、機体１を押し、キャスター３７によりギアセット３を連動し、清掃ツール４の回転を連動する。
【００１７】
こうして、建築物ガラス窓洗浄の目的を達成し、窓洗浄職人を宙空に吊り下げる必要がないため、窓洗浄の危険性を低下させられる。
当然、本考案は、床板の清掃にも応用でき、同様にさまざまな清掃ツール４を、機体１下方に取り付け、手でハンドル２１を持ち、床板の清掃作業を行う。
【００１８】
図４は、本考案の動作状態図である。
図１及び図２に合わせて示すように、本考案の使用時には、手で伸縮棒２を持ち、機体１をガラス窓に密着させて機体１を押し、キャスター３７によりギアセット３を連動して、清掃ツール４の回転を連動する。
【００１９】
該キャスター３７の回転時、ワーム３６により伝動ギア３１を連動し、これにより該伝動ギア３１は２個の受動ギア３２をそれぞれ連動し、さらに２個の受動ギア３２により２個のターンテーブル３３をそれぞれ連動する。
これにより、該２個のターンテーブル３３に取り付けられる清掃ツール４はそれに従い回転し、管体３４、３５が放出する洗浄剤及び真水に対応して、ガラス或いは床板を清掃する効果を達成する。
【００２０】
ガラスの清掃時に、洗浄剤によりキャスター３７が滑ることを考慮し、本考案は、転換部材３８１の回転切り替えにより、該モーター３８伝動軸は、該伝動ギア３１に枢接され、しかも該伝動ギア３１はワーム３６より離脱する。
こうして、該伝動ギア３１は、モーター３８により伝動され、最良の清掃効果を達成できる。
【００２１】
図５は、本考案の別種の実施形態の使用状態図である。
図に示すように、本考案はさらにクリップ５を設置し、該クリップ５上には、自由に転向できる嵌合保持部５１を設置し、該クリップ５の適当な位置には、少なくとも２個以上の固定部材５２を設置する。
【００２２】
該固定部材５２により該クリップ５を窓枠６に固定し、該伸縮棒２は嵌合保持部５１上を跨いで定位される。
こうして、窓洗浄機全体は、該嵌合保持部５１を支点として、前、後への引き動かし、及び上、下スイング動が行え、清掃ガラスの作業のコントロールが容易となり、しかもさらに省力化できる。
【００２３】
上記を総合すると、本考案はギアセットを設置する機体に、機体両側に設置するキャスターを対応させて、多機能窓洗浄ワイプ装置を構成する。
【００２４】
キャスターの回転によりギアセットを連動することで、ギアセットに取り付けられる清掃ツールを連動し、簡単な操作により、建築物ガラス窓清掃の目的を達成でき、窓洗浄職人を宙空に吊り下げる必要がないため、窓洗浄の危険性を低下させられる。
【００２５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２７】
１  機体
１１  突起
２  伸縮棒
２１  ハンドル
３  ギアセット
３１  伝動ギア
３２  受動ギア
３３  ターンテーブル
３４  管体
３５  管体
３６  ワーム
３７  キャスター
３８  モーター
３８１  転換部材
４  清掃ツール
５  クリップ
５１  嵌合保持部
５２  固定部材
６  窓枠
【図１】
0003206573.tif 000003
【図２】
0003206573.tif 000004
【図３】
0003206573.tif 000005
【図４】
0003206573.tif 000006
【図５】
0003206573.tif 000007